(57)【要約】【課題】室内環境の見た目を良くすることができる多機能枠型壁掛箱体を提供する。【解決手段】多機能枠型壁掛箱体は、内枠箱体１０及び外枠板２０を備える。内枠箱体１０は、内フレーム１１と、内フレーム１１の前側に位置する位置規制外板１２とを有する。内フレーム１１の内部は、２個の縦向き分離プレート１３により景観収容室１４及び２個の収容空間１５に画成される。内フレーム１１には、開口１１１が形成され、開口１１１を介して景観収容室１４と収容空間１５とが連通する。景観収容室１４の底部には、排水穴１４３及び複数の支持柱１４４が設けられ、貫通孔１６１を有する分離プレート１６が複数の支持柱１４４上に当接される。景観収容室１４上には照明ランプ１７が設置される。外枠板２０は、全体の面積が内枠箱体１０の位置規制外板１２より大きく、内枠箱体１０の景観ウィンドウ１２１と位置合わせして取り付ける覗き窓２１を有する。【選択図】図２
0003209327.tif 000002
【実用新案登録請求の範囲】
【請求項１】
内枠箱体及び外枠板を備えた多機能枠型壁掛箱体であって、
前記内枠箱体は、内フレームと、前記内フレームの前側に位置する位置規制外板と、を有し、前記内フレームの内部は、２個の縦向き分離プレートにより景観収容室及び２個の収容空間に画成され、前記内フレームには、開口が形成され、前記開口を介して前記景観収容室と前記収容空間とが連通し、前記景観収容室の底部には、排水穴及び複数の支持柱が設けられ、貫通孔を有する分離プレートが前記複数の支持柱上に当接され、前記景観収容室上には照明ランプが設置され、前記照明ランプは、前記２個の縦向き分離プレート間に当接されて前記２個の縦向き分離プレートを覆い、前記２個の縦向き分離プレートは、通風口をそれぞれ有し、前記位置規制外板の面積は内フレームより大きく、前記景観収容室に対応するように景観ウィンドウが形成されるとともに、前記景観ウィンドウには透視板が設けられ、前記位置規制外板の外周枠縁には、複数の磁性ユニットが設けられ、
前記外枠板は、全体の面積が前記内枠箱体の前記位置規制外板より大きく、前記内枠箱体の前記景観ウィンドウと位置合わせして取り付ける覗き窓を有するとともに、前記外枠板の内側面には、前記位置規制外板を吸着する複数の磁気吸引ユニットが設けられていることを特徴とする多機能枠型壁掛箱体。
【請求項２】
前記内フレームの後ろ側には、複数の壁掛穴が形成され、
前記景観収容室の内壁には、裏板が設けられていることを特徴とする請求項１に記載の多機能枠型壁掛箱体。
【請求項３】
前記内フレームの２個の収容空間は、収納分離プレートを有し、
一方の前記収容空間の前記収納分離プレートの下方は、前記位置規制外板により閉止状に形成され、液体を受ける貯水タンクが構成され、前記位置規制外板は、他方の前記収容空間に対応するように形成された中空の開放口を有することを特徴とする請求項１に記載の多機能枠型壁掛箱体。
【請求項４】
前記内枠箱体は、スプレーユニット有し、
前記スプレーユニットは、前記収容空間の前記収納分離プレート上に配置されるポンプモータを有し、
前記ポンプモータは、前記貯水タンク内にまで延びた汲上管を一端に有するとともに、前記２個の縦向き分離プレート間に掛け渡す吐出管を他端に有し、
前記２個の縦向き分離プレートの通風口には、ファンが設けられることを特徴とする請求項３に記載の多機能枠型壁掛箱体。
【請求項５】
前記外枠板の前記覗き窓の両側には、化粧板が設けられ、前記化粧板により前記内枠箱体両側の前記収容空間を遮ることを特徴とする請求項３又は４に記載の多機能枠型壁掛箱体。
【請求項６】
前記透視板は、前記景観収容室と連通する中空穴を有することを特徴とする請求項１に記載の多機能枠型壁掛箱体。
【考案の詳細な説明】
【技術分野】
【０００１】
本考案は、壁掛箱体に関し、特に、多機能枠型壁掛箱体に関する。
【背景技術】
【０００２】
従来、家具の配置に合わせて自宅の室内の見た目を良くするために、通常、壁面に内装を施したり、内装壁面上に装飾フレームを嵌設したりするが、壁面の見た目が単調となりやすく、交換したり変更したりすることが容易でなく、個人のニーズに応じて変更することが困難な上、上述の装飾壁面は鑑賞用、装飾用以外に、その他実用的な使用効果が低く、産業上の利用可能性は低かった。
【考案の概要】
【考案が解決しようとする課題】
【０００３】
本考案の主な目的は、壁掛箱体を壁面に取り付け、景観収容室で植物を栽培することができるため、装飾効果を得たり見た目を良くしたりすることができる上、室内に植物を置くことにより空気を清浄することもでき、壁掛箱体の産業上の利用可能性が高い、多機能枠型壁掛箱体を提供することにある。
本考案のもう一つの目的は、外枠板を磁気吸引方式により内枠箱体の位置規制外板上に固定し、外枠板の着脱を自在に行い、使用者は必要に応じて交換したり変更したりすることができるため、壁掛箱体の多様性及び独自性を高めて個人の好みに合わせることができる上、室内環境の見た目を良くすることもできる、多機能枠型壁掛箱体を提供することにある。
【図面の簡単な説明】
【０００４】
【図１】本考案の一実施形態に係る、多機能枠型壁掛箱体を示す斜視図である。
【図２】本考案の一実施形態に係る、多機能枠型壁掛箱体を示す分解斜視図である。
【図３】本考案の一実施形態に係る、多機能枠型壁掛箱体を示す正面図である。
【図４】図３の線Ａ−Ａに沿った断面図である。
【図５】図３の線Ｂ−Ｂに沿った断面図である。
【図６】本考案の一実施形態に係る、多機能枠型壁掛箱体の別の角度からの斜視図である。
【図７】本考案の一実施形態に係る、多機能枠型壁掛箱体の使用状態の説明図である。
【図８】本考案の一実施形態に係る、多機能枠型壁掛箱体の使用状態のもう一つの説明図である。
【考案を実施するための形態】
【０００５】
まず、図１及び図２を参照する。図１及び図２に示すように、本考案の一実施形態に係る多機能枠型壁掛箱体は、少なくとも内枠箱体１０及び外枠板２０から構成されてなる。
【０００６】
内枠箱体１０は、内フレーム１１と、内フレーム１１の前側に位置する位置規制外板１２と、を有する。内フレーム１１の内部は、２個の縦向き分離プレート１３を介して景観収容室１４及び２個の収容空間１５に画成される。内フレーム１１上には、開口１１１が形成され、開口１１１を介して景観収容室１４と収容空間１５とが連通する。２個の縦向き分離プレート１３は、通風口１３１を有する。通風口１３１には、ファン１３２が設けられる。内フレーム１１の後ろ側には、複数の壁掛穴１４１を有する景観収容室１４が設けられる。景観収容室１４の内壁には、裏板１４２が設けられる。景観収容室１４の底部には、排水穴１４３及び複数の支持柱１４４が設けられ、貫通孔１６１を有する分離プレート１６を複数の支持柱１４４上に当接し、景観収容室１４上に照明ランプ１７を設置し、照明ランプ１７は、２個の縦向き分離プレート１３間に当接されて覆う。位置規制外板１２の面積は内フレーム１１より大きく、景観収容室１４に対応するように景観ウィンドウ１２１を形成するとともに、景観ウィンドウ１２１には透視板１２２が設けられ、位置規制外板１２の外周枠縁には、複数の磁性ユニット１２３が設けられる。２個の収容空間１５は、収納分離プレート１５１を有する。一方の収容空間１５の収納分離プレート１５１の下方は、位置規制外板１２により閉止状に形成され、液体を受ける貯水タンク１５２が構成される。位置規制外板１２は、他方の収容空間１５に対応するように形成された中空の開放口１２４を有する。内枠箱体１０は、スプレーユニット１８を有する。スプレーユニット１８は、収容空間１５の収納分離プレート１５１上に配置されるポンプモータ１８１を有する。ポンプモータ１８１は、貯水タンク１５２内にまで延びた汲上管１８２を一端に有するとともに、２個の縦向き分離プレート１３間に掛け渡す吐出管１８３を他端に有する。
【０００７】
外枠板２０は、全体の面積が内枠箱体１０の位置規制外板１２より大きく、内枠箱体１０の景観ウィンドウ１２１と位置合わせして取り付ける覗き窓２１を有するとともに、覗き窓２１の両側に化粧板２２を設け、化粧板２２により内枠箱体１０両側の収容空間１５を遮る。外枠板２０の内側面には、位置規制外板１２を吸着する複数の磁気吸引ユニット２３が設けられている。
【０００８】
図２及び図３に図４〜図６を併せて参照する。図２〜図６に示すように、内枠箱体１０の内フレーム１１は、景観収容室１４に分離プレート１６が配置されるとともに、複数の支持柱１４４上に当接され、分離プレート１６と景観収容室１４の底部とに余裕空間が形成され、裏板１４２が景観収容室１４の内壁に貼設され、位置規制外板１２には、景観収容室１４に対応するように形成された景観ウィンドウ１２１に透視板１２２が取り付けられ、景観収容室１４の一側の収容空間１５には、貯水タンク１５２から液体、液体肥料などが供給され、収納分離プレート１５１によりスプレーユニット１８のポンプモータ１８１が設置され、汲上管１８２を貯水タンク１５２内へ延ばし入れて液体を吸い取り、吐出管１８３を２個の縦向き分離プレート１３間に掛け渡し、景観収容室１４の水分を供給する。また、２個の縦向き分離プレート１３間には照明ランプ１７が設けられ、縦向き分離プレート１３の通風口１３１にファン１３２が取り付けられる。外枠板２０は、内枠箱体１０の位置規制外板１２に対応するように組み合わされ、覗き窓２１を景観ウィンドウ１２１に位置合わせし、内側の磁気吸引ユニット２３と位置規制外板１２の外周側部の磁性ユニット１２３とを吸着固定し、枠型壁掛箱体の組立てを完成させる。
【０００９】
図５及び図６に図７及び図８を併せて参照する。図５〜図８に示すように、本実施形態の内枠箱体１０は、背部の壁掛穴１４１を介して壁面上に取り付けられるとともに、壁面内装に予め形成した壁面収容槽内に内フレーム１１を収容するとともに、内装壁面に位置規制外板１２を当接して締結ユニットにより内装壁面に螺着固定し、これにより内枠箱体１０を壁面上に固定してから、磁気吸引ユニット２３により内枠箱体１０の位置規制外板１２へ外枠板２０を位置合わせして吸着し、壁掛箱体の取付けを完了する。内枠箱体１０の内部には、景観収容室１４により植物を栽培する様子が鑑賞できるように、分離プレート１６上に培養土を直接重ねてもよいし、分離プレート１６上に盆栽を一つずつ置いてもよく、スプレーユニット１８により必要な定量の水分及び養分を植物へ定時に供給し、土壌に含まれる水分が多くなりすぎると、分離プレート１６の貫通孔１６１を介して余分な水分が下方の余裕空間へ排出されて排水穴１４３から排水され、植物の栽培過程で排水を行う。景観収容室１４上の照明ランプ１７は、植物の鑑賞に必要な光を提供することができる上、光合成に必要な光を植物へ適時提供する上、２個の縦向き分離プレート１３は、通風口１３１をそれぞれ有するとともにファン１３２が設けられ、ファン１３２により外部の空気を景観収容室１４内へ供給する。このように、壁掛箱体で植物を栽培する際、植物に必要な三要素である太陽光、空気、水を適時供給することができるため、植物の生存率が高まり、景観ウィンドウ１２１から植物を鑑賞することができる上、室内を装飾して見た目を良くすることもできる。透視板１２２には、景観収容室１４と連通する中空穴が形成され、この中空穴を介して景観収容室１４内部のオブジェクト、植物を手入れしたり交換したりすることができる。
【００１０】
また、外枠板２０は、磁気吸着方式により内枠箱体１０の位置規制外板１２に固定され、使用者のニーズに応じて交換することができるため、様々な形式で使用することができ、室内環境の見た目を良くし、内フレーム１１の景観収容室１４の一側の収容空間１５には、位置規制外板１２により開放口１２４が形成されている。外枠板２０を取り外した後、使用者は物品を設置したり保管したりすることができ、実用的である。
【００１１】
上述したことから分かるように、本考案の多機能枠型壁掛箱体は、以下（１）及び（２）の長所を有する。
（１）壁掛箱体を壁面に取り付け、景観収容室１４で植物を栽培することができるため、装飾効果を得たり見た目を良くしたりすることができる上、室内に植物を置くことにより空気を清浄することもでき、壁掛箱体の産業上の利用可能性が高い。
（２）外枠板２０を磁気吸引方式により内枠箱体１０の位置規制外板１２上に固定し、外枠板２０の着脱を自在に行い、使用者は必要に応じて交換したり変更したりすることができるため、壁掛箱体の多様性及び独自性を高めて個人の好みに合わせることができる上、室内環境の見た目を良くすることもできる。
【符号の説明】
【００１２】
１０  内枠箱体
１１  内フレーム
１２  位置規制外板
１３  縦向き分離プレート
１４  景観収容室
１５  収容空間
１６  分離プレート
１７  照明ランプ
１８  スプレーユニット
２０  外枠板
２１  覗き窓
２２  化粧板
２３  磁気吸引ユニット
１１１  開口
１２１  景観ウィンドウ
１２２  透視板
１２３  磁性ユニット
１２４  開放口
１３１  通風口
１３２  ファン
１４１  壁掛穴
１４２  裏板
１４３  排水穴
１４４  支持柱
１５１  収納分離プレート
１５２  貯水タンク
１６１  貫通孔
１８１  ポンプモータ
１８２  汲上管
１８３  吐出管
【図１】
0003209327.tif 000003
【図２】
0003209327.tif 000004
【図３】
0003209327.tif 000005
【図４】
0003209327.tif 000006
【図５】
0003209327.tif 000007
【図６】
0003209327.tif 000008
【図７】
0003209327.tif 000009
【図８】
0003209327.tif 000010